(57)【特許請求の範囲】
【請求項１】
呼制御情報に従って音声データ、画像データ等のデータの回線交換処理を行う為のネットワークを制御する制御装置に、ローカルエリア・ネットワークを接続する交換機に於いて、
前記制御装置の内部バスに、該内部バスに接続された中央処理装置によって制御されるプロセッサ間データ通信処理部を介して汎用バスを接続し、該汎用バスにＬＡＮコントローラを介して前記ローカルエリア・ネットワークを接続し、前記ＬＡＮコントローラを制御するプロセッサ制御装置を前記汎用バスに接続した構成を備えた
ことを特徴とする交換機。
【請求項２】
前記プロセッサ間データ通信処理部は、前記内部バスとの間のデータの書込み及び読出しを行い、且つ前記汎用バスとの間のデータの書込み及び読出しを行うデュアルポート・メモリを備えたことを特徴とする請求項１記載の交換機。
【請求項３】
前記ローカルエリア・ネットワークにアプリケーション・プロセッサを接続した構成に於いて、前記プロセッサ制御装置は、プロセッサとメモリとを含み、該メモリにゲートウェイ機能とサーバ機能とのプログラムを格納した構成としたことを特徴とする請求項１記載の交換機。
【請求項４】
前記ローカルエリア・ネットワークに交換機の障害情報や状態情報を収集する集中管理装置を接続した構成に於いて、前記プロセッサ制御装置は、プロセッサとメモリとを含み、該メモリにＳＮＭＰエージェント機能のプログラムを格納した構成としたことを特徴とする請求項１記載の交換機。
【請求項５】
前記制御装置は、各種機能のプログラムを記憶したハードディスク装置から、前記中央処理装置の制御により前記プロセッサ制御装置のメモリに、前記内部バスと前記プロセッサ間データ通信処理部と前記汎用バスとを介してダウンロードする構成を有することを特徴とする請求項１乃至４の何れか１項記載の交換機。
【発明の詳細な説明】
【０００１】
【発明の属する技術分野】
本発明は、ローカルエリア・ネットワーク（ＬＡＮ）を制御装置に接続した交換機に関する。
交換機の制御装置に、各種のアプリケーション・プロセッサを接続する場合、或いは、遠隔地の集中管理装置を接続する場合、制御装置にゲートウェイやエージェント用コンソール等を介してＬＡＮを接続することになる。このようなアプリケーション・プロセッサや集中管理装置等を接続する場合、経済的に且つ高速データ伝送が可能となるように構成することが要望されている。
【０００２】
【従来の技術】
図１１は従来例のＬＡＮ接続構成の説明図であり、１０１は制御装置、１０２は中央処理装置（ＣＣ）、１０３はメインメモリ（ＭＭ）、１０４はインタフェース部（ＩＦ）、１０５は内部バス、１０６はファイルメモリ制御装置（ＦＭＣ）、１０７はハードディスク装置（ＨＤ）、１０８はフロッピィディスク装置（ＦＤ）、１０９はデータ通信制御装置（ＤＣＣ）、１１０はネットワーク（ＮＷ）、１１１はゲートウェイ、１１２はローカルエリア・ネットワーク（ＬＡＮ；Ｌocal  Ａrea Ｎetwork））、１１３はアプリケーション・プロセッサである。
【０００３】
交換機は、制御装置１０１やネットワーク１１０等を含み、呼制御情報に従って制御装置１０１によりネットワーク１１０を制御して、電話機等を含む加入者端末装置間の音声データ，画像データ等の交換処理を行うものである。又制御装置１０１の中央処理装置１０２は、ＰＢＣバスと称される内部バス１０５を介してメインメモリ１０３やデータ通信制御装置１０９等と接続されており、ネットワーク１１０をインタフェース部１０４を介して制御する。又ハードディスク装置１０７やフロッピィディスク装置１０８は、ファイルメモリ制御装置１０６を介してアクセスされるように接続されている。
【０００４】
又交換機との間でデータの送受信を行う複数のアプリケーション・プロセッサ１１３を接続する場合、複数のアプリケーション・プロセッサ１１３を接続したＬＡＮ１１２と、制御装置１０１のデータ通信制御装置１０９との間に、サーバ機能を持たせたゲートウェイ１１１を接続し、データ通信制御装置１０９とゲートウェイ１１１との間は、ＨＤＬＣ手順によるＲＳ−２３２Ｃインタフェースによって接続する。このゲートウェイ１１１にサーバ機能を持たせたことによって、クライアントとなる複数のアプリケーション・プロセッサ１１３との間でデータ伝送を行うことができる。
【０００５】
図１２は従来例の集中管理システムの説明図であり、図１１と同一符号は同一部分を示し、１２１は集中管理コンソール、１２２，１２４はローカルエリア・ネットワーク（ＬＡＮ）、１２３は広域ネットワーク（ＷＡＮ；Ｗide Ａrea Ｎetwork）、１２５はエージェント用コンソールを示す。
【０００６】
遠隔地に配置された集中管理コンソール１２１と、交換機の制御装置１０１とを接続する為に、エージェント用コンソール１２５を設け、そのエージェント用コンソール１２５にＬＡＮ１２４，ＷＡＮ１２３，ＬＡＮ１２２を介して集中管理コンソール１２１を接続する。又エージェント用コンソール１２５は、制御装置１０１のデータ通信制御装置１０９と、ＨＤＬＣ手順によるＲＳ−２３２Ｃインタフェースによって接続する。なお、ＷＡＮ１２３は、イントラネット或いはインターネットとすることができる。
【０００７】
集中管理コンソール１２１は、複数の交換機の中の選択指定した交換機の障害情報や状態情報等を要求するＧＥＴコマンドを送出する。このコマンドに対応してエージェント用コンソール１２５がＧＥＴ  ＲＥＳＰＯＮＳＥによって、交換機の障害情報や状態情報を、ＬＡＮ１２２，ＷＡＮ１２３，ＬＡＮ１２４を介して集中管理コンソール１２１に送出する。従って、集中管理コンソール１２１は、選択指定した交換機の障害情報や状態情報を収集することができる。
【０００８】
【発明が解決しようとする課題】
制御装置１０１のデータ通信制御装置１０９と、ゲートウェイ１１１又はエージェント用コンソール１２５との間は、前述のように、ＨＤＬＣ手順によるＲＳ−２３２Ｃインタフェースにより接続されており、その伝送速度は、９６００ｂｐｓである。その為、例えば、図１１に示すように、ＬＡＮ１１２とゲートウェイ１１１とを介して制御装置１０１とアプリケーション・プロセッサ１１３との間を接続した場合、ゲートウェイ１１１を介して伝送されるデータ量が多くなり、９６００ｂｐｓ程度の伝送速度では、データ伝送に要する時間が長くなる問題がある。
【０００９】
又図１２に示すように、制御装置１０１にエージェント用コンソール１２５を介して集中管理コンソール１２１を接続した場合も、多量のデータを伝送する必要があるが、データ通信制御装置１０９とエージェント用コンソール１２５との間は、９６００ｂｐｓの伝送速度となるから、データ伝送に要する時間が長くなる問題がある。
【００１０】
そこで、中央処理装置１０２から直接的に制御できるように、内部バス１０５にＬＡＮコントローラを接続することが考えられる。しかし、内部バス１０５に対して直接的にＬＡＮコントローラを接続してＬＡＮインタフェースを構成する機能については、従来の制御装置１０１は備えていないものである。従って、中央処理装置１０２とＬＡＮコントローラとの間のインタフェースを実現する為の交換機制御プログラムを最初から開発する必要がある。その場合のプログラムの開発量は膨大なものとなり、プログラムの開発に要する時間及び費用が嵩む問題がある。
本発明は、汎用バス・インタフェースを利用して経済的にＬＡＮの収容を可能とすることを目的とする。
【００１１】
【課題を解決するための手段】
本発明の交換機は、（１）呼制御情報に従って音声データ、画像データ等のデータの回線交換処理を行う為のネットワークを制御する制御装置に、ローカルエリア・ネットワーク（ＬＡＮ）を接続する交換機であって、制御装置１の内部バス５に、この内部バス５に接続された中央処理装置２によって制御されるプロセッサ間データ通信処理部１１を介して汎用バス１２を接続し、この汎用バス１２にＬＡＮコントローラ１４を介してＬＡＮ１５を接続し、このＬＡＮコントローラ１４を制御するプロセッサ制御装置１３を汎用バス１２に接続した構成とする。従って、汎用バス１２の高速データ伝送の機能を利用して、外部のＬＡＮ１５と制御装置１との間のデータを高速で伝送することが可能となる。
【００１２】
又（２）プロセッサ間データ通信処理部１１は、内部バス５との間のデータの書込み及び読出しを行い、且つ汎用バス１２との間のデータの書込み及び読出しを行うデュアルポート・メモリを備えることができる。
【００１３】
又（３）ＬＡＮ１５にアプリケーション・プロセッサを接続した場合、プロセッサ制御装置１３は、プロセッサとメモリとを含み、このメモリにゲートウェイ機能とサーバ機能とのプログラムを格納した構成とすることができる。
【００１４】
又（４）ＬＡＮ１５に集中管理装置を接続した場合、プロセッサ制御装置１３は、プロセッサとメモリとを含み、このメモリにＳＮＭＰエージェント機能のプログラムを格納した構成とすることができる。
【００１５】
又（５）制御装置１は、各種機能のプログラムを記憶したハードディスク装置７から、中央処理装置２の制御によりプロセッサ制御装置１３のメモリに、内部バス５とプロセッサ間データ通信処理部１１と汎用バス１２とを介してダウンロードする構成とすることができる。
【００１６】
【発明の実施の形態】
図１は本発明の実施の形態の要部説明図であり、１は制御装置、２は中央処理装置（ＣＣ）、３はメインメモリ（ＭＭ）、４はインタフェース部（ＩＦ）、５は内部バス、６はファイルメモリ制御装置（ＦＭＣ）、７はハードディスク装置（ＨＤ）、８はフロッピィディスク装置（ＦＤ）、９はデータ通信制御装置（ＤＣＣ）、１０はネットワーク（ＮＷ）、１１はプロセッサ間データ通信処理部（ＰＰＤＣＣ）、１２はＩＳＡ（Ｉndustry Ｓtandard Ａrchitecture ）バス，ＰＣＩ（Ｐeripheral Ｃomponent  Ｉnterconnect ）バス等の汎用バス、１３はプロセッサ制御装置（ＰＣ）、１４はＬＡＮコントローラ（ＬＡＮＣ）、１５はローカルエリア・ネットワーク（ＬＡＮ）を示す。
【００１７】
ネットワーク１０と制御装置１とにより交換機の主要部を構成することになり、制御装置１内の中央処理装置２，メインメモリ３，インタフェース部４，内部バス５，ファイルメモリ制御装置６，ハードディスク装置７，フロッピィディスク装置８，データ通信制御装置９については従来例と同様な構成を有するものである。そして、この実施の形態に於いては、制御装置１に、プロセッサ間データ通信処理部１１と、汎用バス１２と、プロセッサ制御装置１３と、ＬＡＮコントローラ１４とを設け、ＬＡＮコントローラ１４に外部のＬＡＮ１５を接続するものである。
【００１８】
プロセッサ間データ通信処理部１１は、内部バス５と汎用バス１２との間のデータの授受を行う比較的簡単な構成で実現できるもので、例えば、デュアルポート・メモリによって構成することができる。又汎用バス１２に、プロセッサ制御装置１３とＬＡＮコントローラ１４とを接続し、このＬＡＮコントローラ１４に、外部のＬＡＮ１５を接続する。このＬＡＮ１５に、アプリケーション・プロセッサや集中管理装置等を接続することになる。
【００１９】
又プロセッサ制御装置１３は、ＬＡＮ１５にアプリケーション・プロセッサを接続する場合は、ゲートウェイ機能とサーバ機能とを実現するプログラムを設け、又集中管理装置を接続する場合は、例えば、ＳＮＭＰ（Ｓimple Ｎetwork  Ｍanagement Ｐrotocol ）のエージェント機能を設ける。
【００２０】
外部のＬＡＮ１５と内部バス５との間に、汎用バス１２を介在させ、この汎用バス１２と内部バス５との間にプロセッサ間データ通信処理部１１を設け、ＬＡＮ１５からのデータを、プロセッサ制御装置１３の制御によって、ＬＡＮコントローラ１４，汎用バス１２を介してプロセッサ間データ通信処理部１１のメモリに書込み、中央処理装置２の制御によって、プロセッサ間データ通信処理部１１のメモリからデータを読出すことにより、ＬＡＮ１５を介して接続されたアプリケーション・プロセッサや集中管理装置等からのデータを受信処理することができる。前述と反対方向にデータを伝送する場合、内部バス５を介してプロセッサ間データ通信処理部１１のメモリにデータを書込み、プロセッサ制御装置１３の制御によってそのデータを読出し、ＬＡＮコントローラ１４を介して外部のＬＡＮ１５に送出することができる。
【００２１】
ＩＳＡバスやＰＣＩバス等の汎用バス１２は、既に制御プログラムが開発されており、数１０Ｍｂｐｓ或いは１００Ｍｂｐｓの伝送速度を有する汎用バスを適用することができる。従って、複数のアプリケーション・プロセッサがＬＡＮ１５に接続された場合でも、内部バス５と汎用バス１２とＬＡＮ１５とによるデータ伝送速度に対応して、各アプリケーション・プロセッサとの間で高速でデータを伝送することが可能となる。又ＬＡＮ１５等を介して集中管理装置を接続した場合でも、障害情報や状態情報等の多量のデータを短時間で収集することが可能となる。
【００２２】
又高速の外部のＬＡＮ１５を接続する為の汎用バス１２を設けても、汎用バス１２に対する制御プログラムが既に開発されているから、新たな制御プログラムを最初から開発する必要がなく、又プロセッサ制御装置１３に、ゲートウェイ機能，サーバ機能，エージェント機能を備えることにより、ＬＡＮ１５を接続する為のゲートウェイやエージェント用コンソール等を設ける必要がなくなり、経済的な構成とすることができる。
【００２３】
図２は本発明の実施の形態の要部の詳細説明図であり、図１に於けるプロセッサ間データ通信処理部１１と、プロセッサ制御装置１３とについて示すものであり、２１は内部バス・インタフェース部（ＢＩＦ）、２２はデュアルポート・メモリ（ＤＰＭ）、２３は汎用バス・インタフェース部（ＢＩＦ）、２４は汎用バス・インタフェース部（ＢＩＦ）、２５はプロセッサ（ＣＰＵ）、２６はメモリ（ＭＥＭ）、２７は入出力コントローラ（ＩＯＣ）、２８は内部バス、２９は各種の機能を実現するプログラムを格納するメモリ、３０はゲートウェイ機能部、３１はサーバ機能部、３２はＳＮＭＰエージェント機能部を示す。
【００２４】
プロセッサ制御装置１３は、プロセッサ２５とメモリ２６，２９とを含み、メモリ２９のゲートウェイ機能部３０，サーバ機能部３１又はＳＮＭＰエージェント機能部３２のプログラムに従ってそれぞれの機能を実現するようにプロセッサ２５は各部を制御する。このメモリ２９は、ランダムアクセスメモリ（ＲＡＭ）やプログラマブル・リードオンリメモリ（ＰＲＯＭ）により構成することができるもので、例えば、電気的に消去，書込みが可能なフラッシュ・メモリを用いることができる。
【００２５】
又プロセッサ間データ通信処理部１１は、内部バス・インタフェース部２１と汎用バス・インタフェース部２３とデュアルポート・メモリ２２とを含み、プロセッサ制御装置１３の制御に従ってＬＡＮコントローラ１４を介してＬＡＮ１５から転送されたデータを、汎用バス１２を介してデュアルポート・メモリ２２に書込む。或いは、中央処理装置２の制御に従って内部バス５を介してデュアルポート・メモリ２２にデータを書込む。
【００２６】
このデュアルポート・メモリ２２にデータが書込まれていることを示すフラグ（図示せず）を設け、中央処理装置２は、内部バス５を介して定期的にこのフラグを読取り、このフラグが立っている時に、デュアルポート・メモリ２２にデータが書込まれていると判定して、内部バス５を介してデータを読取るか或いは内部バス５を介してメインメモリ３にＤＭＡ（Ｄirect Ｍemory Ａccess ）によってデータを転送し、このデータの読出しが完了するとフラグをリセットする。同様に、中央処理装置２の制御によって書込まれたデータを、プロセッサ制御装置１３の制御によってデュアルポート・メモリ２２から読取って、汎用バス１２とＬＡＮコントローラ１４とを介してＬＡＮ１５に送出する。
【００２７】
図３は本発明の実施の形態のＬＡＮ接続の説明図であり、図１及び図２と同一符号は同一部分を示し、３３はアプリケーション・プロセッサである。交換機の外部のＬＡＮ１５に複数のアプリケーション・プロセッサ３３が接続され、このＬＡＮ１５を前述のように、制御装置１のＬＡＮコントローラ（ＬＡＮＣ）１４を介して汎用バス１２に接続する。
【００２８】
又プロセッサ制御装置（ＰＣ）１３には、ゲートウェイ機能部３０とサーバ機能部３１とを設ける。即ち、プロセッサ制御装置１３のメモリ２９（図２参照）に、ゲートウェイ機能とサーバ機能とを実現するプログラムを格納する。それによって、ＬＡＮ１５との間にゲートウェイを接続することなく、ＬＡＮコントローラ１４を介して汎用バス１２と接続することができる。従って、ＬＡＮ１５に多数のアプリケーション・プロセッサ３３を接続した場合でも、例えば、１００Ｍｂｐｓの伝送速度の汎用バスも知られているから、このような汎用バスを用いることにより、高速でデータを伝送することができる。
【００２９】
図４は本発明の実施の形態の集中管理システムの説明図であり、図１及び図２と同一符号は同一部分を示し、４１は集中管理コンソール（集中管理装置）、４２，４４はＬＡＮ、４３はＷＡＮである。遠隔地に配置された集中管理コンソール４１を、ＬＡＮ４２，ＷＡＮ４３，ＬＡＮ４４を介して交換機の制御装置１と接続し、集中管理コンソール４１に於いて、選択指定した交換機の障害情報や状態情報を収集する。
【００３０】
その場合に、プロセッサ制御装置（ＰＣ）１３にＳＮＭＰエージェント機能部３２を設ける。即ち、プロセッサ制御装置１３のメモリ２９（図２参照）に、ＳＮＭＰエージェント機能を実現するプログラムを格納する。従って、エージェント用コンソールを設けることなく、集中管理コンソール４１をＬＡＮ４２，４４等を介して接続することができる。そして、前述のように、１００Ｍｂｐｓの伝送速度の汎用バスも知られているから、このような汎用バス１２を用いることにより、集中管理コンソール４１との間の多量のデータの伝送を短時間で行うことが可能となる。
【００３１】
図５は本発明の実施の形態のダウンロードの説明図であり、図１及び図２と同一符号は同一部分を示し、ハードディスク装置７に、ゲートウェイ機能，サーバ機能，ＳＮＭＰエージェント機能等のプログラム５０が格納されている場合に、システム立上げ時等に於いて、中央処理装置（ＣＣ）２は、このプログラム５０を、一点鎖線の経路のＤＭＡ転送によりプロセッサ制御装置（ＰＣ）１３のメモリ２９にダウンロードさせる。
【００３２】
この場合、制御装置１にアプリケーション・プロセッサを接続した構成に於いては、プログラム５０として、ゲートウェイ機能とサーバ機能とのプログラムを指定してダウンロードさせ、又集中管理コンソールを接続した構成に於いては、ＳＮＭＰエージェント機能のプログラムを指定してダウンロードさせる。なお、原理的には全ての機能のプログラムをプロセッサ制御装置１３のメモリ２９にダウンロードすることができる。
【００３３】
又バージョンアップ等に於いては、例えば、バージョンアップのプログラムを格納したフロッピィディスクをフロッピィディスク装置８に挿入し、中央処理装置２の指示に従ったファイルメモリ制御装置８の制御により、フロッピィディスクからハードディスク装置７に一旦プログラムを転送し、そして、ハードディスク装置７のプログラム５０として、前述のようなダウンロードを実行させることになる。なお、フロッピィディスク装置８からプログラムのダウンロードを行うことも可能であるが、データの読出速度やデータ量等から、前述のように、一旦ハードディスク装置７に書込んだ後、ハードディスク装置７からダウンロードするのが一般的である。
【００３４】
図６は本発明の実施の形態のコネクション確立処理シーケンス説明図であり、例えば、図３に於ける中央処理装置（ＣＣ）２と、プロセッサ制御装置（ＰＣ）１３と、ＬＡＮ側ＡＰ（アプリケーション・プロセッサ）３３とについて示している。最初に、ＬＡＮ側ＡＰからＩＰアドレス等を含むコネクション確立要求を送出すると、ＬＡＮ１５，ＬＡＮコントローラ１４，汎用バス１２を介してプロセッサ制御装置１３に入力される。プロセッサ制御装置１３は、このコネクション確立要求を受信識別すると、ＬＡＮ側ＡＰにコネクション確立確認応答を送出し、又汎用バス１２，プロセッサ間データ通信処理部１１，内部バス５を介して中央処理装置２にコネクション確立発生通知を行う。
【００３５】
中央処理装置２は、このコネクション確立発生通知に対して、プロセッサ制御装置１３にコネクション情報通知許可通知を行う。プロセッサ制御装置１３は、この許可通知に従って、中央処理装置２に対してＩＰアドレス等を含むコネクション情報通知を送出する。これによって、ＬＡＮ側ＡＰと制御装置１との間のコネクションが確立される。なお、ＬＡＮ１５を介して集中管理コンソールが接続されている場合も同様に集中管理コンソールからのコネクション確立要求に従って、コネクションを確立することができる。
【００３６】
図７は本発明の実施の形態のメッセージ受信処理シーケンス説明図であり、前述のように、コネクションが確立された後、ＬＡＮ側ＡＰから中央処理装置２に対してデータを送出する場合の概要を示す。送出するメッセージのデータ量が多い場合等に於いて分割することになり、その場合は、ＬＡＮ側ＡＰから送信単位の大きさのデータとして送出する。
【００３７】
プロセッサ制御装置１３は、このデータを受信する毎に受信確認をＬＡＮ側ＡＰに送出する。ＬＡＮ側ＡＰは、このデータ受信確認通知により、次のデータを送出する。プロセッサ制御装置１３は、このデータの受信確認をＬＡＮ側ＡＰに送出する。これを繰り返すことにより、ＬＡＮ側ＡＰからデータを交換機の制御装置１へ送出する。なお、所定の複数回連続してデータを送出し、それに対する受信確認通知により次の所定の複数回連続してデータを送出する制御を行うことも可能である。
【００３８】
又プロセッサ制御装置１３は、中央処理装置２に対して、受信データ発生通知を行う。中央処理装置２は、この受信データ発生通知により受信データ情報通知許可通知を送出し、プロセッサ制御装置１３は、この許可通知に従って、受信データ情報通知を行う。即ち、ＬＡＮ側ＡＰからのデータを中央処理装置２に送出する。
【００３９】
図８は本発明の実施の形態のメッセージ送信処理シーケンス説明図であり、中央処理装置２からＬＡＮ側ＡＰに対してデータを送出する場合の概要を示す。又前述のように、送出するメッセージのデータ量が多い場合等に於いて、分割することになり、その場合、中央処理装置２からプロセッサ制御装置１３に送信データ発生通知を行い、次に送信データ情報通知、即ち、ＬＡＮ側ＡＰに対するデータを送出する。プロセッサ制御装置１３は、メッセージを構成するデータの受信により、中央処理装置２に送信データ情報通知確認を送出する。
【００４０】
そして、プロセッサ制御装置１３は、ＬＡＮ側ＡＰに対してデータ送信を開始し、ＬＡＮ側ＡＰからのデータの確認通知により、次のデータの送信を行う。これを順次繰り返して中央処理装置２からのデータをＬＡＮ側ＡＰに送出する。
【００４１】
前述のＬＡＮ側ＡＰと中央処理装置２との間は、ＬＡＮ１５，ＬＡＮコントローラ１４，汎用バス１２，プロセッサ間データ通信処理部１１，内部バス５を介してデータが転送されることになる。具体的には、ＬＡＮ側ＡＰからのデータは、ＬＡＮコントローラ１４とプロセッサ制御装置１３とによる制御に従って、プロセッサ間データ通信処理部１１のデュアルポート・メモリ２２に一旦書込まれる。この場合、汎用バス１２は高速データ伝送が可能であるから、ＬＡＮ側ＡＰからのデータを高速で伝送することができる。そして、前述のように、フラグを立てることにより、図７に示すように、プロセッサ制御装置１３から中央処理装置２に対して受信データ発生通知を行ったものと等価になる。
【００４２】
中央処理装置２は、このフラグを定期的にチェックし、フラグが立っていることにより、デュアルポート・メモリ２２にデータが書込まれていることを識別し、中央処理装置２は、ＤＭＡ機能を起動し、メインメモリ３にデュアルポート・メモリ２２からデータを転送させる。従って、図７に示すように、プロセッサ制御装置１３から中央処理装置２に対する受信データ情報通知に相当する処理を行うことになる。この場合も内部バス５によるデータ伝送速度に従ってデータを伝送することができる。
【００４３】
又中央処理装置２からＬＡＮ側ＡＰに送出するデータについても、プロセッサ間データ通信処理部１１のデュアルポート・メモリ２２に、中央処理装置２はＤＭＡ機能を起動し、メインメモリ３からデータを転送させる。従って、図８に示すように、中央処理装置２からプロセッサ制御装置１３に対する送信データ情報通知に相当する処理を行うことになる。
【００４４】
又プロセッサ制御装置１３は、プロセッサ間データ通信処理部１１のデュアルポート・メモリ２２に書込まれているデータの有無を監視しており、中央処理装置２の制御によってデータが書込まれていることを識別すると、そのデータを読出して、汎用バス１２及びＬＡＮ１５を介してＬＡＮ側ＡＰに送出する。従って、図８に示すように、プロセッサ制御装置１３からＬＡＮ側ＡＰに対するデータの送信に相当する処理を行うことになる。この場合も、汎用バス１２のデータ伝送速度に従ってＬＡＮ側ＡＰに対して高速でデータを伝送することができる。
【００４５】
図９は本発明の実施の形態のコネクション解放処理シーケンス説明図であり、ＬＡＮ側ＡＰからのコネクションクローズ要求により、プロセッサ制御装置１３は、ＬＡＮ側ＡＰに対してコネクションクローズ確認通知を行い、且つ中央処理装置２にコネクションクローズ発生通知を行う。中央処理装置２は、コネクションクローズ発生通知に対してコネクションクローズ情報通知許可通知を送出する。プロセッサ制御装置１３は、これに対して、ＩＰアドレス等を含むコネクションクローズ情報通知を中央処理装置２に送出する。
【００４６】
図１０は本発明の実施の形態のソフトダウンロード処理シーケンス説明図であり、中央処理装置２の制御によって、プロセッサ制御装置１３のメモリ２９に、ハードディスク装置７等から各種機能を実現するプログラムをダウンロードする場合の概要を示す。
【００４７】
この場合も、中央処理装置２とプロセッサ制御装置１３との間は、プロセッサ間データ通信処理部１１を介して、前述のプログラムのダウンロードが行われるものである。中央処理装置２は、システム立上時やバージョンアップ等により、プロセッサ制御装置１３にソフトダウンロード発生通知を行う。そして、ソフトダウンロード情報通知を行い、プロセッサ制御装置１３は、中央処理装置２に対してソフトダウンロード情報通知確認を送出する。
【００４８】
具体的には、中央処理装置２の制御によりＤＭＡ機能を起動し、ハードディスク装置７等からプログラムのデータを内部バス５を介してプロセッサ間データ通信処理部１１のデュアルポート・メモリ２２に書込み、プロセッサ制御装置１３は、デュアルポート・メモリ２２からデータを読出して汎用バス１２を介してメモリ２９に書込む。それによって、プロセッサ制御装置１３のメモリ２９に、各種機能のプログラムをダウンロードすることができる。
【００４９】
【発明の効果】
以上説明したように、本発明は、ＬＡＮ１５を制御装置１に接続した交換機に於いて、制御装置１の内部バス５に、プロセッサ間データ通信処理部１１を介して汎用バス１２を接続し、この汎用バス１２にＬＡＮコントローラ１４を介してＬＡＮ１５を接続し、プロセッサ制御装置１３を汎用バス１２に接続して、汎用バス１２を介したデータの伝送を制御するものであり、中央処理装置２に接続された内部バス５と、プロセッサ制御装置１３により制御される汎用バス１２と間は、デュアルポート・メモリ２２を含む簡単な構成のプロセッサ間データ通信処理部１１によって接続し、ＬＡＮ１５を介して接続されたアプリケーション・プロセッサや集中管理装置等との間のデータを高速で伝送することができる。又その場合に、汎用バス１２を用いることによって、新規に制御プログラムを開発する必要がなく、又ゲートウェイやエージェント用コンソールを設ける必要がないから、経済的に交換機にＬＡＮを収容することができる利点がある。
【図面の簡単な説明】
【図１】本発明の実施の形態の要部説明図である。
【図２】本発明の実施の形態の要部の詳細説明図である。
【図３】本発明の実施の形態のＬＡＮ接続の説明図である。
【図４】本発明の実施の形態の集中管理システムの説明図である。
【図５】本発明の実施の形態のダウンロードの説明図である。
【図６】本発明の実施の形態のコネクション確立処理シーケンス説明図である。
【図７】本発明の実施の形態のメッセージ受信処理シーケンス説明図である。
【図８】本発明の実施の形態のメッセージ送信処理シーケンス説明図である。
【図９】本発明の実施の形態のコネクション解放処理シーケンス説明図である。
【図１０】本発明の実施の形態のソフトダウンロード処理シーケンス説明図である。
【図１１】従来例のＬＡＮ接続構成の説明図である。
【図１２】従来例の集中管理システムの説明図である。
【符号の説明】
１  制御装置
２  中央処理装置（ＣＣ）
３  メインメモリ（ＭＭ）
４  インタフェース部（ＩＦ）
５  内部バス
６  ファイルメモリ制御装置（ＦＭＣ）
７  ハードディスク装置（ＨＤ）
８  フロッピィディスク装置（ＦＤ）
９  データ通信制御装置（ＤＣＣ）
１０  ネットワーク（ＮＷ）
１１  プロセッサ間データ通信処理部（ＰＰＤＣＣ）
１２  内部バス
１３  プロセッサ制御装置（ＰＣ）
１４  ＬＡＮコントローラ（ＬＡＮＣ）
１５  ローカルエリア・ネットワーク（ＬＡＮ）
【図１】
0004022789.tif 000002
【図２】
0004022789.tif 000003
【図３】
0004022789.tif 000004
【図４】
0004022789.tif 000005
【図５】
0004022789.tif 000006
【図６】
0004022789.tif 000007
【図７】
0004022789.tif 000008
【図８】
0004022789.tif 000009
【図９】
0004022789.tif 000010
【図１０】
0004022789.tif 000011
【図１１】
0004022789.tif 000012
【図１２】
0004022789.tif 000013